(57)【要約】【課題】  ディスク装置を含む複数の記録及び／または再生部を備えた記録再生装置の使い勝手を良くする。【解決手段】  正面パネルの開動作を、正面パネル開閉検出部を介してＣＰＵ３が検知すると（ステップＳ１１）、ステップＳ１２において、正面パネル内のＬＥＤに、各ディスクの動作状態が表示される。この際、正面パネルの表示部のＬＥＤはオフする。次いで、ステップＳ１３において、ディスクの交換等の処理を行い、この際にＥｊｅｃｔ要求信号を検出する。ディスクをディスク装置にローディングした後に、ステップＳ１４において、パネルの閉を検出すると、ＣＰＵがパネル検出を検出し、正面パネルの閉を検出した後に正面パネルに設けられている表示部のＬＥＤをオンするとともに、正面パネル開時に露出する表示部のＬＥＤをオフしてから、現在の各ディスクの動作状態を検出する。正面パネルの表示部と正面パネルを開した際に露出する表示部とのオン／オフ切り替えは、オンした後に多少の遅延を有した後にオフするように制御しても良い。【選択図】  図９
2006164424.tif 000002
【特許請求の範囲】
【請求項１】
筐体と、
該筐体内に設けられ該筐体の一面に可搬型の記録媒体を着脱する着脱口を有する少なくとも１つのディスク装置と、
前記着脱口を遮蔽する位置に開閉可能に設けられたパネルと、
該パネルに設けられ該パネルの遮蔽状態において前記ディスク装置の動作状況を表示する第１の表示部と、
前記パネルを開けた際に露出する前記筐体の一面に設けられ前記ディスク装置の動作状況を表示する第２の表示部と
を有する記録再生装置。
【請求項２】
前記ディスク装置の少なくとも１つは使用する記録媒体の片面の記録容量が８．６ギガバイト以上の光ディスクを用いた光学ディスク装置を含むことを特徴とする請求項１に記載の記録再生装置。
【請求項３】
前記第１の表示部と前記第２の表示部とに対する電力供給を切り替え又は電力供給量の調整を行う入力スイッチが設けられていることを特徴とする請求項１又は２に記載の記録再生装置。
【請求項４】
前記パネルの開閉又は開閉間の変化の少なくともいずれか一方を検出する検出部を有することを特徴とする請求項１から３までのいずれか１項に記載の記録再生装置。
【請求項５】
前記検出部が前記パネルの閉状態を検出した際に、前記第２の表示部への電力供給を低減又は停止する制御を行う表示制御部を有することを特徴とする請求項１から４までのいずれか１項に記載の記録再生装置。
【請求項６】
前記検出部が前記パネルの開状態を検出した際に、前記第１の表示部への電力供給を低減又は停止する制御を行う表示制御部を有することを特徴とする請求項１から４までのいずれか１項に記載の記録再生装置。
【請求項７】
前記表示制御部は、前記検出部が前記パネルの開から閉への変化を検出した際に、前記第２の表示部への電力供給を停止する制御を行うことを特徴とする請求項５に記載の記録再生装置。
【請求項８】
前記表示制御部は、前記検出部が前記パネルの閉から開への変化を検出した際に、前記第１の表示部への電力供給を停止する制御を行うことを特徴とする請求項６に記載の記録再生装置。
【請求項９】
前記表示制御部は、前記パネルの開閉間の変化に応じて、現在の前記ディスク装置の動作状況を表示する制御を行うことを特徴とする請求項５又は６に記載の記録再生装置。
【請求項１０】
前記検出部の前記パネルの開閉の検出時点からある時間だけ遅延させてから表示制御を行う遅延機構を有することを特徴とする請求項５から９までのいずれか１項に記載の記録再生装置。  
【請求項１１】
筐体と、
該筐体内に設けられた少なくとも１つの電子装置と、
前記筐体の一面に開閉可能に設けられ前記電子装置の操作部を塞ぐ位置に設けられるパネルと、
該パネルに設けられ前記電子装置の動作状況を表示する第１の表示部と、
前記パネルを開けた際に露出する前記筐体面に設けられ前記ディスク装置の動作状況を電力供給に基づいて表示する表示する第２の表示部と、
前記パネルの開閉を検出する検出部と、
前記検出部が前記パネルの閉状態を検出した際に、前記第２表示部への電力供給を低減又は停止する制御を行う表示制御部と
を有する電子機器。
【請求項１２】
筐体と、該筐体内に設けられた少なくとも１つの電子装置と、前記筐体の一面に開閉可能に設けられ前記電子装置の操作部を塞ぐ位置に設けられるパネルとを有し、前記一面に電力供給により発光する光源を有する表示部が設けられている電子機器における表示方法であって、
前記パネルの開閉を検出するステップと、
前記パネルの閉を検出した際に前記光源への電力供給を減らす方向に制御するステップと
を有する表示方法。
【請求項１３】
筐体と、該筐体内に設けられた少なくとも１つの電子装置と、前記筐体の一面に開閉可能に設けられ前記電子装置の操作部を塞ぐ位置に設けられるパネルとを有し、前記パネルの表面に電力供給により発光する光源を有する表示部が設けられている電子機器における表示方法であって、
前記パネルの開閉を検出するステップと、
前記パネルの開を検出した際に前記光源への電力供給を減らす方向に制御するステップと
を有する表示方法。
【請求項１４】
コンピュータに、請求項１２又は１３に記載のステップを実行させるためのプログラム。
【発明の詳細な説明】
【技術分野】
【０００１】
本発明は記録再生装置に設けられた操作パネル兼表示パネルの表示制御技術に関する。
【背景技術】
【０００２】
最近の記録再生装置は、マルチメディア時代の要望に応えるために、大容量データの記憶媒体としてＤＶＤ（Digital Versatile Disk）を記録媒体として用いたＤＶＤ装置と大容量かつ安価なハードディスク装置（ＨＤＤ）とを備えているのが一般的である。
【０００３】
ＤＶＤ装置は、波長６５０ｎｍ帯の赤色半導体レーザーを光ディスクのピックアップとして用いている。一般的なＤＶＤの記録容量は４.７ＧＢである。
【０００４】
一方、近時、ＤＶＤに比べてより大容量のデータを記憶することができる次世代光ディスクとして、波長４００ｎｍ帯の青色光源を用いたブルーレイディスク（Blu-ray Disc：登録商標  以下「ＢＤ」とも称す）、及びエイチディ・ディ-ブイディ  （High Definition ＤＶＤ、以下「ＨＤ  ＤＶＤ」とも称す）、が発表されている。例えば、ＢＤの場合は片面単層の記録容量は２３．３ＧＢ、２５ＧＢ、２７ＧＢの３種類が規格化されている。またＨＤ  ＤＶＤの場合は片面単層の記録容量１５ＧＢのものも発表されており、２０ＧＢの仕様も検討されている。両者はいずれも記録容量が１５ＧＢ（Giga byte）以上であり、例えばＢＤは、２時間以上のハイビジョン放送の全編を１枚のディスクに録画が可能であるため、これからのハイビション放送に対応可能な優れた性能を有している（例えば、特許文献１参照）。
【０００５】
また、既存のコンパクトディスク（ＣＤ）、ＤＶＤに加えて、ＢＤにも対応するために、長波長（ＣＤ用）と中波長（ＤＶＤ用）に加えて短波長（ＢＤ）の３波長のレーザー光源をその得る光ディスク装置が提案されている（例えば特許文献２参照）。この装置では、上記３種類の波長に対応するピックアップを設け、ドライブを１つにして省スペース化を図っている。
【０００６】
【特許文献１】特開２００４-１９２８０１号公報
【特許文献２】特開２００４-１０３１３５号公報
【発明の開示】
【発明が解決しようとする課題】
【０００７】
しかしながら、上記特許文献２に記載の光ディスク装置では、省スペース化が可能なものの、ディスクの着脱口が１つのみでありディスクも１枚のみが駆動可能なためダビングなどの処理が複雑になりユーザの使い勝手は必ずしも良好ではない。また、２以上のディスク装置を備えた記録再生装置も存在するが、記録再生装置の動作状態は１つの表示領域により主として文字情報に基づいて表示されているため、ユーザにとってわかりやすいものではなかった。特に、正面に表示パネル類や着脱型記録媒体の着脱口、操作ボタン類などがまとめられているため、表示パネルに対して十分な面積をとることがむずかしかった。また、多くのドライブ（挿入口が１つの場合も含む）を設けることに起因してそれぞれのドライブ毎の動作状態を報知する表示部や表示制御部の消費電力も大きくなる傾向にある。
【０００８】
本発明の目的は、ブルーレイディスク（ＢＤ）を含む光ディスク装置を備えた記録再生装置における消費電力を考慮しつつ表示をわかりやすくすることを目的とする。
【課題を解決するための手段】
【０００９】
本発明の記録再生装置は、ブルーレイディスク（ＢＤ）を含むディスク装置を備えた記録再生装置において、筐体に開閉可能なパネルを設け、該パネルに前記ディスク装置の動作状況を表示する第１の表示部と、前記パネルを開けた際に露出する前記筐体の一面に設けられ前記ディスク装置の動作状況を表示する第２の表示部とを有する記録再生装置である。この装置によれば、正面パネルの開閉に基づいて、２面に表示部と操作部とを適宜設けることができるため、表示部と操作部とのレイアウトの自由度が増す。さらに、前記パネルの開閉を検出する検出部を設け、該検出部が前記パネルの閉状態を検出した際に、前記第２表示部への電力供給を低減又は停止する制御を行う表示制御部を有することを特徴とする。或いは、前記検出部が前記パネルの開状態を検出した際に、前記第１の表示部への電力供給を低減又は停止する制御を行う表示制御部を有することを特徴とする。これにより、正面パネルの開閉に応じてディスク装置を操作する際の視認に必要な表示と視認に関係ない方の表示に関する電力供給を低減又は停止することで、低消費電力化とパネルの閉状態でのパネル背面側内部の熱のこもり防止が可能になる。
【００１０】
本発明の一観点によれば、筐体と、該筐体内に設けられた少なくとも１つの電子装置と、前記筐体の一面に開閉可能に設けられ前記電子装置の操作部を塞ぐ位置に設けられるパネルと、該パネルに設けられ前記電子装置の動作状況を表示する第１の表示部と、前記パネルを開けた際に露出する前記筐体面に設けられ前記ディスク装置の動作状況を電力供給に基づいて表示する表示する第２の表示部と、前記パネルの開閉を検出する検出部と、前記検出部が前記パネルの閉状態を検出した際に、前記第２の表示部への電力供給を低減又は停止する制御を行う表示制御部とを有する電子機器が提供される。
【００１１】
本発明の他の観点によれば、筐体と、該筐体内に設けられた少なくとも１つの電子装置と、前記筐体の一面に開閉可能に設けられ前記電子装置の操作部を塞ぐ位置に設けられるパネルとを有し、前記一面に電力供給により発光する光源を有する表示部が設けられている電子装置における表示方法であって、前記パネルの開閉を検出するステップと、前記パネルの閉を検出した際に前記光源への電力供給を減らす方向に制御するステップとを有する表示方法が提供される。
【００１２】
また、筐体と、該筐体内に設けられた少なくとも１つの電子装置と、前記筐体の一面に開閉可能に設けられ前記電子装置の操作部を塞ぐ位置に設けられるパネルとを有し、前記パネルの表面に電力供給により発光する光源を有する表示部が設けられている電子装置における表示方法であって、前記パネルの開閉を検出するステップと、前記パネルの開を検出した際に前記光源への電力供給を減らす方向に制御するステップとを有する表示方法が提供される。尚、上記ステップをコンピュータに、実行させるためのプログラムも本発明の範疇に入るものとする。
【発明の効果】
【００１３】
本発明は、筐体の一面に開閉可能なパネルを設けた記録再生装置において、パネルを開にした際に露出し光源により発光する表示部の光源発光に伴う消費電力をパネル閉時に低減することができるとともに、パネル閉時における内部の熱のこもりなどを回避することができる。特に、ブルーレイディスクなどの高記録密度の記録媒体に対応する光学ドライブとして用いている場合には、ディスクの加工密度が高く精細なため、熱のこもりの影響が大きくなるため、本発明の技術を用いる利点が大きい。
【発明を実施するための最良の形態】
【００１４】
本明細書において、光学ディスクは、例えば、再生専用のＣＤ−ＲＯＭ、ＤＶＤ−ＲＯＭ、再生・記録が可能なＣＤ−Ｒ（Ｗ）、ＤＶＤ―Ｒ（ＲＷ）など、及びブルーレイディスク（ＢＤ）、エイチディ・ディ-ブイディ（ＨＤ  ＤＶＤ）を含む。光学ディスク装置は、これらのメディアを駆動することができる駆動装置を指す。尚、本願特許請求の範囲において記載した第１の表示部は、以下の実施の形態では、第１から第３表示部を含み、第２の表示部は第４から第６表示部を含むものとする。
【００１５】
本発明の第１の実施の形態による記録再生装置について図面を参照しつつ説明を行う。図１は、本実施の形態による記録再生装置の外観構成例を示す斜視図であり表面パネルを閉じた状態を示す図である。図２は、図１の斜視図に対応する図であり表面パネルを開いた状態を示す図である。図３（ａ）〜（ｃ）までは、それぞれ、図１に対応する正面図、図２に対応する正面図、図２に対応する上面図（一部を表す）である。図４は、本実施の形態による記録再生装置の内部に配置されている光学ディスク装置の配置例を示す図である。図５は、本実施の形態による記録再生装置の内部構成例を示す機能ブロック図である。図６は、本実施の形態による記録再生装置の制御処理等を行うプログラムの構成例を示す図である。図７は、記録再生装置を遠隔操作することができるリモートコントロール装置（以下、「リモコン装置」）の構成例を示す図である。図８および図９は、表示制御の処理の流れを示すフローチャート図である。図１０は、正面パネルの表示部における表示例を示す図である。図１１（Ａ）、（Ｂ）は、実際に記録再生装置Ａの電源をオンにした状態における表示部の表示例を示す図である。
【００１６】
図１から図４までに示すように、本実施の形態による記録再生装置Ａは、第１の光学ディスク装置であるＤＶＤ装置３１と、このＤＶＤ装置とは記録容量などの規格が異なる第２の光学ディスク装置であるＢＤ装置３５とが隣接して配置されるいわゆる２トレイ方式の記録再生装置であり、薄型テレビなどとともに使用する際の統一感を出すために、横置き、縦置きのいずれの場合でもスリムさを強調する外観を有している。この外観は、図４を参照して後述するように２つの光学ドライブ装置３１、３５を横置き時に左右に配置されるようにすることで、筐体の縦方向の厚さが極力薄くなるようにしている。液晶テレビをオープンラックに載せて使用することを想定して、このオープンラック内に横置きする際の薄さが強調される。
【００１７】
加えて、ディスク駆動装置を収容する筐体１は、ハロゲン材の入っていない難燃性プラスチックであるＡＢＳポリカーボネート樹脂を射出成形して形成しており、上面に薄い上板１ａを配置し、この上板１ａを他の筐体外表面よりも深みのある仕上げとすることにより機械的な強度を確保することができるとともに高級感とスリム感を演出している。
【００１８】
図４は、本実施の形態による記録再生装置内における各ディスク装置の配置例を示す図である。図４に示すように、本実施の形態による記録再生装置は、一般的な横置きの配置にした場合に、正面から見て右側にＤＶＤ装置３１が、左側にＢＤ装置３５が配置されるとともに、ＤＶＤ装置３１の下方にハードディスク（ＨＤＤ）装置３３が配置される。ある程度の厚みを有する光学ディスク装置３１、３５を左右に配置し、薄型化が可能なハードディスク装置ＨＤＤ３３をＤＶＤ装置３１の下方に配置することで筐体１の厚さを薄くすることができる。さらに、ＤＶＤのディスクよりもより微細な加工を行っているためピックアップとディスクとの間の高い位置精度が要求される（すなわち、振動に対して弱い）振動発生源となりうるＨＤＤ装置３３の横方向にＢＤ装置３５を配置し、ＤＶＤ装置３１の下方にＨＤＤ装置３３を配置することにより、ＨＤＤ装置３３の動作に起因する振動の影響を極力小さくすることができる。これらのディスク装置３１、３３、３５は、全て記録・再生が可能であるのが一般的であるが、例えば、ＤＶＤ装置が再生専用である場合も含まれる。
【００１９】
図１及び図３（ａ）に示すように、本実施の形態による記録再生装置Ａは、上板１ａが配置された筐体１と、横置き時における正面に設けられた開閉式の正面パネル２５ａを有している。正面パネル２５ａの左右には、それぞれ電源オン/オフ用スイッチ１ｂ及び図７に示すリモートコントロール装置（以下、「リモコン装置」と称する。）からの赤外線による指令を受けるＲＣ受光部１７と、正面パネル２５ａを開くためのパネル開スイッチ２５ｂと、正面パネル２５ａをロックする正面パネルロック機構２５と、を有している。
【００２０】
正面パネルロック機構２５の詳細な説明は省略するが、通常は正面パネル２５ａをロックしており、リモコンのパネル開スイッチ（図７（ｂ）のトレイ開閉スイッチがこの機能を兼ねている）又はパネル開スイッチ２５ｂをオンすることにより正面パネル２５ａを開方向に押す。
【００２１】
正面パネル２５ａが一旦押されると、正面パネル２５ａの自重により筐体の正面と正面パネル２５ａとの成す角度が９０度程度になるまで開方向に回転移動し、図２に示すように筐体の正面と正面パネル２５ａとの成す角度が９０度程度になった時点で回動が停止する。尚、正面パネル２５ａのロック機構をリモコン装置により解除することにより、正面パネル２５ａをリモコン装置からの操作により開けることができる。
【００２２】
正面パネル２５ａには、該表示パネルを閉じた状態における第１の表示部４０が設けられており、第１の表示部４０は以下に述べる第１の表示部から第３の表示部までの３つの表示部からなり、それぞれが近接して配置されている。第１の表示部４０は筐体１を横置きにした場合に横方向にある間隔をあけて配置された略円形の第１表示部４１と、第２表示部４３・４５と、第３表示部４７の３つの表示部が配置されて形成されている。
【００２３】
図２及び図３（ｂ）に示すように、正面パネル２５ａを開いた場合には、筐体１の正面側であって正面パネル２５ａが閉じていた場合の裏面側に、記録再生装置Ａに内蔵されている第１の光ディスク装置であるＤＶＤ装置３１と第２の光ディスク装置であるＢＤ装置３５のディスクを載せるためのディスクトレイが進退を行う正面部３１ａ、３５ａが現れる。それぞれの光ディスク装置３１、３５に対して、それぞれの光ディスク装置３１、３５を開閉するための開閉スイッチ３１ｂ、３５ｂが設けられている。この開閉スイッチ３１ｂ、３５ｂを押すことにより、それぞれの光ディスク装置３１、３５のそれぞれに対応する図示しないＤＶＤのディスク又はＢＤのディスクを載せるためのトレイが進退可能に設けられている。
【００２４】
ＤＶＤ装置３１とＢＤ装置３５とが並んで配置されている領域の下方には、例えばＩＥＥＥ１３９４端子（ＤＶ端子）と、Ｂ-ＣＡＳカード用のスロット２１と、が設けられている。Ｂ-ＣＡＳカードは地上デジタルテレビジョン放送、ＢＳデジタル放送、１１０度ＣＳデジタル放送等の各種放送サービスを受信するために必要なカードであり、デジタル放送の番組等の著作権保護にも利用される。例えば、デジタル放送の無料放送、有料放送、ペイ・パー・ビュー放送、ＮＨＫ、自動表示メッセージ、およびデータ放送の双方向サービス等の放送サービスを利用するためには、Ｂ-ＣＡＳカード用のスロット２１にＢ-ＣＡＳカードを挿入する必要がある。尚、符号２１ａはＢ-ＣＡＳカード用のスロットに挿入されたＢ-ＣＡＳカードを取り出すための押しボタンである。
【００２５】
さらに、ＩＥＥＥ１３９４端子（ＤＶ端子）と、Ｂ-ＣＡＳカード用のスロット２１との間には、表示部４０と同じような形態であってやや小型の内側表示部４８（第４から第６までの表示部４８ａ〜４８ｃまでが、ある間隔をおいて横方向に配置されている）が設けられている。この内側表示部は表示兼用の選択操作キーとなっており、図示する左側から順番にそれぞれＤＶＤ、ＨＤＤ、ＢＤのそれぞれの動作状態を報知する動作状態報知手段も兼ねている。尚、ＤＶ端子は、記録再生装置Ａの裏面側にも設けられており、一般的にはＤＶカメラからの映像をＨＤＤドライブなどに高速に取り込むインターフェイスとして用いられるが、ユーザにとって使い勝手の良い方の端子を選択して用いることができる。
【００２６】
さらに、図２及び図３（ｃ）に示すように、正面パネルの裏面２５ｄ側に、図７（ａ）のリモコン装置ＲＣの方向キーと同様の機能を有する方向キーと決定ボタンとを備えた操作部６１ａと、再生動作を開始、停止するためのそれぞれが半円形で合わせて円形となるスイッチであって、円形の外周部に発光領域を有している再生用スイッチ６１ｂと、この再生用スイッチ６１ｂに隣接して設けられ同様の形状を有している録画用スイッチ６１ｃと、が設けられている。後述するように、表示の際の発光色は動作状態に応じて決められている。方向キーと選択キーとによる操作部６１ａは、例えばメニュー画面におけるメニュー項目の移動と決定に用いられる。上記発光領域は、正面パネル２５ａが開である場合に点灯するように制御される。
【００２７】
上述のように、それぞれがディスク駆動部を有するＤＶＤ装置とＢＤ装置とを備えた２トレイ方式を採用し、かつ、内蔵のハードディスク装置も備えているため、ＤＶＤディスク又はＢＤディスクのそれぞれに関連する起動時間に起因する遅延を極力短くすることができる。２トレイ方式を用いることで、例えば２種類の規格の異なるディスクを規格の一致するディスク装置に入れ異なるディスクの情報読み込み時間を平行して情報読み込みを行わせることができる。これにより、短時間でディスク装置の起動処理を行うことが可能となる。すなわち、２種類のディスクの出し入れ時に必要なディスクの情報読み込みに起因する遅延を２ディスクの情報読み込みを並行して行わせることにより低減することができるという利点がある。
【００２８】
また、表示・操作系を、正面パネルと、正面パネルを開けた際の筐体側の面と、正面パネルの裏面と、に分散して配置することにより、例えば正面パネルに設けられている表示部を大きなものとすることができ、ユーザの表示部に関する視認性をさらに良くすることができる。特に、本実施の形態による記憶再生装置のように、正面パネルに設けられた３連の大きな円形表示部により、ディスク装置の動作状況とデータの移動方向などをユーザに報知することで、一般的な文字表示の場合に比べて美観を損ねずに、視認性を向上させることができる。
【００２９】
次に、本実施の形態による記録再生装置Ａの内部構成例について図５の全体機能ブロック図と図６及び図７を参照しつつ説明を行う。適宜、図１〜図４までを参照しつつ説明を行う。図５に示すように、本実施の形態による記録再生装置Ａは、全体の制御を行うＣＰＵ３と、各機能を実行する機能ブロック群と、を有している。記録・再生機能を有するブロックとしては、上述のように、ＤＶＤ装置３１とＨＤＤ装置３３とＢＤ装置３５とが備えられている。
【００３０】
これらの各ディスク装置３１、３３、３５は、ディスク駆動制御部３７を介して又は直接に、ＣＰＵ３からの制御命令に基づいて動作する。実際には、図７に示すリモコン装置の各操作ボタン又は上述した記録再生装置Ａ本体側の操作スイッチなどを操作することにより、リモコン装置ＲＣの場合には赤外線信号をＲＣ受光部１７において受信し、操作に応じた信号を受けてＣＰＵ３に伝達する。ＣＰＵ３は受けた信号に基づいて上記操作に基づく動作を行うように、各機能ブロックに対して指令する指令信号を出力する。
【００３１】
例えば、リモコン装置ＲＣの放送選択部７０において地上波デジタル放送選択ボタン７０ｂが押され対象機器選択部においてＢＤ選択ボタン７１ｃが押されると、ＢＤ装置３５に入っているＢＤのディスクに地上波デジタル放送番組のコンテンツを記録することができる。ＢＤのディスクはＤＶＤのディスクに比べて大容量のデータを記憶することが可能であるため、例えば２〜３時間以上のデジタルハイビジョン放送を高画質で１枚の光ディスクに記録可能である。
【００３２】
記録の際には、地上波デジタル放送の録画を行う際に、録画エンコーダ／デコーダを含む画像／音声信号処理部５が、例えばデジタルハイビジョン放送番組からの映像信号／音声信号をＢＤのディスクに記録できる形式に変換したり、例えばＢＤ装置３５に記録された信号を表示モニタに表示可能な形式に変換したりする。この際、ＢＤ装置３５の動作状況をＣＰＵ３に送る。これにより、ＣＰＵ３は、各ディスク装置の動作状況を適宜監視して適切な指示を与えることができる。
【００３３】
さらに、本実施の形態による記録再生装置Ａは、ＣＰＵ３と関連付けされ、ＣＰＵ３に後述する種々の処理を実行させるためのプログラムを格納するＲＯＭ７と、プログラムを展開して高速に処理するためのＲＡＭ１１と、アンテナからの放送信号を入力したり、ディスク装置を駆動させた際に得られるコンテンツの信号やＤ端子から出力した映像などを例えば液晶ＴＶなどの表示モニタに出力したり、ＤＶカメラに接続するＩＥＥＥ１３９４端子（ＤＶ端子）やインターネットなどに接続するＬＡＮ端子などを備え各種信号の入出力を制御するインターフェイス部１５と、を備えている。
【００３４】
さらに、前述のＲＣ受光部１７と、Ｂ−ＣＡＳカードスロット２１と、放熱効果を高めるための冷却ファン２３と、正面パネル２５ａを開するための正面パネル駆動部２５であって正面パネルの開閉の状態を検出する図示しない検出部を備える正面パネル駆動部２５と、各種入力操作を受け付ける入力部６１と、を有している。さらに正面パネル駆動部２５に関連して、正面パネルの開閉状態を検出する正面パネル開閉検出部２５ｃを有している。正面パネル開閉検出部２５ｃは、例えば、正面パネルを開けた際の筐体の露出面に設けられている光センサーであって正面パネルの開時に生じる光量の増加を検出する光センサーであっても良いし、正面パネルの裏側又は露出面に設けられている機械的なスイッチであって、開閉に応じて進退するスイッチであっても良い。
【００３５】
加えて、前述のディスク装置駆動制御部３７と、前述の正面パネル２５ａに設けられた表示部４０は、前述のように筐体１を横置きにした場合に横方向にある間隔をあけて配置された略円形の第１表示部４１と、第２表示部４３・４５と、第３表示部４７と、を有しており、ＣＰＵ３により表示制御部５１を介して表示の制御が行われる。同様に、上述した第４から第６までの表示部４８ａ〜４８ｃを兼ねる選択スイッチも、上記表示制御部５１を介してＣＰＵ３により表示制御がなされる。さらに各ディスク装置には、ディスクの有無や駆動状態等を検出する検出部３１c、３３c、３５cがそれぞれ設けられており、対応する各ディスク装置内における光学メディアの有無や駆動状態等に関する信号が検出部３１c、３３c、３５cからディスク駆動制御部３７を介してＣＰＵ３に送られるように構成されている。尚、重力センサーあるいは位置センサーなどを含み記録再生装置の位置（横置き状態か縦置き状態か）を検出する位置検出部２７も設けられている。
【００３６】
図６は、ＲＯＭ７内に格納されるプログラム群の構成例であって、各種ディスクの駆動制御を行うディスク駆動制御プログラムＰ１と、表示部の表示制御を行う表示制御プログラムＰ２と、インターフェイス部１５におけるインターフェイスの切り替え制御や信号の変換等を行うインターフェイス制御プログラムＰ３と、正面パネル２５ａ／ファン２３等の動作の制御を行うパネル／ファン等制御プログラムＰ４と、画像信号／音声信号の信号処理（変換を含む）を行う画像／音声信号処理プログラムＰ５と、を含んで構成される。尚、ここで列挙した各プログラムは例示であり、実際には各プログラムが連動して一連の制御を行うものである。
【００３７】
次に、上記各機能の働きについて説明する。
【００３８】
まず、表示部及び表示制御部の構成の詳細とそれに基づく表示制御について詳細に説明を行う。
【００３９】
前述のように、正面パネル２５ａに設けられている表示部４０は、図３（ａ）に示すように、記録再生装置Ａの筐体１を横置きにした場合に横方向にある間隔をあけて配置された略円形の第１表示部４１と、第２表示部４３・４５と、第３表示部４７と、を有している。第１表示部４１と、第２表示部４３・４５と、第３表示部４７は、ディスクを象徴する形状を有し光ディスク装置Ａの厚さに対して約半分程度の直径を有する比較的大きく見やすい表示部を形成している。３連の円形表示部の表示（点灯の有無と点灯色）を確認さえすれば、比較的複雑なＨＤＤ装置＋２トレイ方式の光学ディスク装置の記録再生装置のディスク装置の現在の動作状況と現在のデータの移動方向とが一見して簡単にわかるという利点を有する。
【００４０】
より詳細に説明すると、第１表示部４１は、背面側に設けられ、例えばＲ（赤色）又はＢ（青色）の発光が可能なように２種類のＬＥＤが設けられている。正面側には、図示しないＬＥＤからの光を遮断するとともに後述するようにＤＶＤディスクのロゴマークが表示された遮光又は半透明の板４１ａと、その外周にリング状に設けられた光透過部４１ｂであって上記ＬＥＤからの発光を正面側に透過する透過性のある例えば透明なプラスチック板により形成された光透過部４１ｂと、を有している。この第１表示部は、ＤＶＤ装置の動作状態を上記ロゴマークとともに上記光透過部４１ｂからの発光色によりユーザに報知する。
【００４１】
第１表示部４１と同様に、第３表示部４７にも、背面側にＲ（赤色）又はＢ（青色）の発光が可能なように２種類のＬＥＤが設けられている。正面側には、図示しないＬＥＤからの光を遮断するとともに後述するようにＢＤディスクのロゴマークが表示された遮光板４７ａと、その外周にリング状に設けられた光透過部４７ｂであって上記ＬＥＤからの発光を正面側に透過する透過性のある例えば透明なプラスチック板により形成された光透過部４７ｂと、を有している。この第１表示部は、ＢＤ装置の動作状態を上記ロゴマークとともに上記光透過部４７ｂからの発光色によりユーザに報知する。
【００４２】
第１の表示部４１と第３の表示部４７との間には、それぞれの表示部からある距離だけ離れた位置に第２の表示部４３・４５が形成されている。第２の表示部は、図示しないが、裏面側から反射板、光源としてのＬＥＤであって好ましくはエッジライトと導光板とにより得られる面発光源４３と、この面発光源４３と対向する位置に設けられている円形の液晶パネル４５が、裏面から正面側に向けて順に設けられている。この第２の発光部４０は、ハードディスク装置のディスクをイメージしたものであり、面発光源が点灯することにより液晶パネル４５に文字が浮かび上がるように構成されている。
【００４３】
これら第１から第３までの表示部は、ディスクの形状と同様の形状にすることで、ディスクをイメージさせることができ、記載されているロゴマークとともに、ユーザにＤＶＤディスクとＢＤディスクとをイメージさせる。また、第１から第３までの表示部４１、４３・４５、及び４７は、それぞれ近接して配置されるとともに、それぞれは分割された表示部を形成している。第１の表示部により、各ディスク装置の動作状況とディスク間のデータのやり取りに関する状況とを表示することができる。一般的に用いられている表示部、すなわち１つの表示部に各ディスクの操作状況やデータのやり取りをテキストデータなどにより表示する場合に比べて視覚的に非常に理解しやすく、状況の把握が迅速にできるという利点がある。尚、第１から第３までの表示部のうち第１の表示部４１側に小さな点灯部が設けられ、録画指令が出されたことを知ることができる。
【００４４】
正面パネルを開いた状態においては、上記第４から第６までの表示部４８ａ〜４８ｃを兼ねる選択スイッチにより選択されたディスク装置３１、３３、３５のいずれかを、再生用スイッチ６１ｂ又は録画用スイッチ６１ｃにより再生状態又は録画状態にすることができる。この際、上記開口領域が動作に応じた色で発光する。これにより、正面パネルを開いた状態においても、ディスク装置の動作状態を知ることができる。例えば、再生用スイッチ６１ｂの外周に形成されたリング状の開口部から対応する再生処理を行っている旨を表示する青色が発光し、録画用スイッチ６１ｃ外周のリング状の開口領域からは記録処理を行っている旨を表示するオレンジ又は赤色が発光する。
【００４５】
本実施による記録再生装置では、正面パネルの表示部４０と正面パネルを開いた状態で見える表示部４８とを異なる光源により発光させており、正面パネル開閉検出部２５ｃが検出する正面パネルの開閉状態に応じて、正面パネルの表示部４０と正面パネルを開いた状態で見える表示部４８との発光の光量を調整したりオン／オフスイッチングしたりするようにＣＰＵ３が表示制御部５１を介して発光に関する制御を行っている。すなわち、正面パネル開閉検出部２５ｃが正面パネルの開を検出した場合には、正面パネルの表示部４０の光源をオンからオフに切り替え、正面パネル開閉検出部２５ｃが正面パネルの閉を検出した場合には、正面パネルを開いた状態で見える表示部４８の光源をオンからオフに切り替える制御を行う。このように、使用する方の表示パネルの発光源のみをオンにし、他方の発光源をオフにすることにより、ユーザが見ていない方の発光源に供給する電力を削減し装置の低消費電力化を図ることができる。さらに、正面パネル２５ａ閉時に内部の表示部４８の発光源への電力供給を停止し、発光をオフすることにより、閉時における正面パネル２５ａ内の発熱量を低減することができるため、熱のこもりなどの問題を解決することができる。
【００４６】
以下に、正面パネル２５ａに設けられている正面パネルの表示部の表示制御について主として図１、図５及び図８〜図１１までを参照しつつ詳細に説明する。符号に関しては、全図を参照して説明する。まず、基本的な表示制御方法について説明を行う。表示部４０の第１から第３までの表示部４１、４３・４５、４７において、基本的な表示方法としては、白色、青色、赤色の３色により色分け表示を行う。白色は現在操作が可能なディスク装置であって、再生・録画中のディスク装置を除くディスク装置であることを表示する。すなわち、ＤＶＤ装置３１やＢＤ装置３５がスタンバイ状態（記録メディアが入っている場合を含む）である場合には白色による表示がなされる。白色は何も動作していないというイメージを想起させるものであり、再生又は録画中でないことをユーザに報知するのに相応しい色である。青色の表示はディスク内に記録されたコンテンツを再生中である旨を表示し、赤色の表示はディスクにコンテンツを記録（録画）中である旨を表示することで、ディスクの動作状況を明確に認識することができる。
【００４７】
一方、表示部における点灯の基本方針は、以下の優先順位に基づく。１）ＨＤＤが動作（録画又は再生）している場合には、液晶パネル４５にはＨＤＤの動作状況などを表示する。第２の表示部４３・４５は、基本的には記録再生装置の中心的役割を果たすＨＤＤの状況を表示するため、色表示に加えて液晶パネル４５の文字表示が可能になっており、他の表示部４１、４７に比べて多機能になっている。２）ＨＤＤが動作していない場合は、液晶パネル４５には動作しているＤＶＤ装置やＢＤ装置の動作状況（再生・録画）などの情報を文字表示する。３）再生と録画とが同時に実行されている場合は、液晶パネル４５には再生情報を優先的に表示する。
【００４８】
次いで、本実施の形態による記録再生装置の表示部の表示制御について図８及び図９のフローチャート図をメインに他の図も参照しつつ説明する。まず、ステップＳ１においてリモコン装置ＲＣの電源スイッチをオンする。ＣＰＵ３は、リモコン装置ＲＣからの電源オン指令を、ＲＣ受光部１７を介して受け取り、実際に記録再生装置Ａの電源をオンにする。この状態における表示部の表示例を図１１（Ａ）、（Ｂ）に示す。図１１（Ａ）、（Ｂ）に示すように、ＤＶＤ用の第１表示部４１において、光透過部４１ｂから白色ＬＥＤの白色光による点滅表示がなされる。ＢＤディスク用の第３表示部４７においても同様に白点滅表示がなされる。尚、この際、ＨＤＤ装置用の第２表示部４３・４５においては、ＨＤＤはディスクが常在し常にランダムにアクセスが可能な記録再生メディアであるため、電源オンに応じて白色灯が点灯し、ＬＣＤ表示として記録再生装置の起動を報知するための表示、例えば”HELLO”の文字が例えば１回だけスクロール表示される。尚、ＬＣＤ表示は図１０に示すように、文字を大きくするために、最大３文字までの表示が可能になっており、比較的低速（例えば２Ｈｚ程度）でスクロール表示がなされるようになっている。ユーザは、大きな文字が低速でスクロール表示されるため例えば”HELLO”の文字列を容易に認識することができる。
【００４９】
次いで、ステップＳ２において、ＣＰＵ３は、現在の各ディスク装置（ＤＶＤ装置３１、ＨＤＤ装置３３、ＢＤ装置３５）の状態をそれぞれの検出部３１c、３３c、３５cからディスク駆動制御部３７を介して取得するとともに、例えば放送信号の有無を検出する。もしディスク装置内にディスクが入っていない場合にはディスク無しである旨を検出すると消灯するが、ディスク装置に対応する（読み書きなどが可能な）ディスクが入っている旨をＣＰＵ３が認識すると（ＤＶＤ、ＢＤのディスクの読み込み完了）、ＣＰＵ３から表示制御部５１を介しての命令により表示が白点点滅から消灯表示に切り替わる。この際、ＨＤＤ装置用の第２表示部４３・４５においては、インターフェイス部１５からのＴＶ番組の放送が受信されていると、その番組のチャネルであるＢＳ１０３ＣＨの情報が白色のＬＥＤバックライトにより点滅状態でＬＣＤ表示される。ユーザは、この表示に基づいて現在受信スタンバイ状態にある番組を知ることができる。
【００５０】
次いで、ディスクの読み込み処理ステップ、番組の受信選局処理ステップを終えると、ステップＳ３においてステップＳ２で検出された情報に基づく表示を行う。すなわち、図１１に示すように、ＤＶＤ装置３１、ＢＤ装置３５におけるディスク情報読み込み処理が完了すると、白色の点滅から消灯状態に変化する。ＨＤＤ装置３３における準備も完了すると、ＢＳ１０３ＣＨの情報が確定し白色のＬＥＤバックライトにより点灯状態でＬＣＤ表示される。ユーザは、この状態で全てのディスク装置がスタンバイ状態になったことを知ることができる。
【００５１】
次いで、ステップＳ４において、各ディスク装置に対する新たな動作又はデータの移動等のための操作が行われたか否かを検出する処理を常時又は定期的に、ＣＰＵ３が新たな操作を検出するまで行う。新たな処理が検出されると、ステップＳ５に進み、ＤＶＤディスク、ＨＤＤ、ＢＤディスクのいずれかの操作入力の検出、データの移動に関する情報に基づいて、上記表示部４０に新たな表示を行う。
【００５２】
ステップＳ６において、ステップＳ５の状態に新たな変化があるか否かを検出し、新たな変化があった場合には（Ｙｅｓ）、ステップＳ７に進み、変化したそれぞれの装置の状態を検出し、検出された情報に基づいて上記表示の方針と優先順位とを考慮して動作状況やデータの移動状況等をＬＥＤ及びＬＣＤにより表示し、処理を終了する（ステップＳ８）。
【００５３】
図９は正面パネル２５ａの開を検出した場合の処理の流れを示すフローチャート図である。図８のステップＳ５から正面パネル２５ａの開動作を、正面パネル開閉検出部２５ｃを介してＣＰＵ３が検知すると（ステップＳ１１）、ステップＳ１２において、正面パネル２５ａ内のＬＥＤに、各ディスクの動作状態が表示される。この際、正面パネル２５ａの表示部のＬＥＤはオフする。次いで、ステップＳ１３において、ディスクの交換等の処理を行い、この際にディスクトレイのＥｊｅｃｔ要求信号を検出する。ディスクをディスクトレイにローディングした後に、ステップＳ１４においてパネルの閉を検出すると、ＣＰＵがパネル閉を検出し、図８のステップＳ２に進む。この際、正面パネル２５ａの閉を検出した後に正面パネル２５ａに設けられている表示部４０のＬＥＤをオンするとともに、正面パネル開時に露出する表示部４８のＬＥＤをオフしてから、ステップＳ２からの処理を開始する。尚、表示部４０と表示部４８とのオン／オフ切り替えは、オンした後に多少の遅延を有した後にオフするように制御しても良い。このようにすることにより、例えば、正面パネル２５ａを閉めた後にすぐに開けた場合などには、オン／オフ処理が実際に行われずにすみ、処理が簡単化するという利点がある。
【００５４】
図１０は、本実施の形態による第１の表示部の詳細な表示例を示す図である。図１１は、図１０に示す第２表示部４３、４５の表示例を示す図である。図１０に示す表示４０における第２表示部４３、４５は文字を大きくして見やすくするために、最大３文字までのＬＣＤ表示が可能になっている。ＬＣＤ表示は比較的低速（例えば２Ｈｚ程度）でスクロール表示がなされるようになっている。ユーザは、大きな文字が低速でスクロール表示されるため、例えば”HELLO”の文字列を容易に認識することができる。図１１は、第２表示部のＬＣＤ表示部の液晶文字の表示例を示す図である。図１１（Ａ）に示すように、（１）チューナ受信時は、そのチューナが受信している放送種別（この場合はＢＳ放送）とチャネル（この場合は１０３ＣＨ）が表示される。（２）の外部ＡＶ入力時は例えばＬ１の表示がなされる。（３）のＤＶ（ＩＥＥＥ１３９４）入力時はＤＶの文字が表示される。（４）のｉＬＩＮＫ（ＴＳ）時は、その旨の表示がなされる。この際、ＩＥＥＥ１３９４にはデータ形式の異なるＤＶ信号とｉＬＩＮＫ（ＴＳ）信号の２つの信号があり、共通の端子から入出力される。
【００５５】
図１１（Ｂ）に示すように、（１）のダビング（コピー）時は、ＣＯＰＹの文字のうちの１から３文字がスクロール表示される。（２）のダビング（ムーブ）時は、ＭＯＶＥの文字のうちの１から３文字がスクロール表示される。（３）の再生時は、ＰＬＡＹの文字のうちの１から３文字がスクロール表示される。その他、（４）の衛星ダウンロード時はＤＬと、（５）のＢ−ＣＡＳ通信時はＣＡＳが、（６）の地上デジタルＥＰＧ取得時は、ＥＰＧが、（７）の番組表表示時はＥＰＧの文字がそれぞれバックライト点灯により表示される。
【００５６】
尚、上記の表示例は一例であり、第１から第３までの表示部の色点灯と第２表示部のＬＣＤの文字表示により、各ディスク装置の動作状況とデータの移動方向となど、記録再生装置の状況を表示することができる。
【００５７】
図１２は、電源起動時の表示（Ａ）とディスク読み込み（トレイ閉）時の表示（Ｂ）とを示す図である。図１２（Ａ）に示すように、電源をオンすると、第１表示部４１は白点滅し、第２表示部４３、４５は白色点灯するとともにＬＣＤ表示（この場合はＨＥＬが１回スクロール表示）され、第３表示部４７では白点滅が行われる。これにより、起動時であることを認識できる。次に、チューナ受信・ディスク読み込み中は、第１表示部４１は白点滅し、第２表示部４３、４５は白色点灯するとともにＬＣＤ表示（この場合はＢＳの１０３ＣＨ表示を２Ｈｚで点滅する）され、第３表示部４７では白点滅が行われる。これにより、チューナによりＢＳの１０３ＣＨを受信していることが認識できる。次いで、第１表示部４１は消灯し、第２表示部４３、４５は白色点灯するとともにＬＣＤ表示（この場合はＢＳの１０３ＣＨ表示を２Ｈｚで点滅する）され、第３表示部４７も消灯する。これにより、ＤＶＤとＢＤの初期読み込み処理が完了し、ＨＤＤの記録等の準備が完了した旨が認識できる。尚、前述の正面パネルを開にした状態では、第１表示部、第２表示部、第３表示部は全て消灯することになる。図１２（Ｂ）に示すように、ディスク読み込み（トレイ閉）表示では、ＤＶＤの読み込みと完了に合わせて白点滅から消灯に変化し、ＢＤについても同様に変化する。
【００５８】
図１３（Ａ）は、図３（ｂ）と同じ図であり、正面パネルを開した場合の筐体正面の構成を示す図である。図１３（Ｂ）は、第２の表示部（４８ａ、４８ｂ、４８ｃ）の、図１３（Ｃ）は第１の表示部（４１、４３，４５，４７）の点灯、消灯の様子を示す図であり、正面パネルを開した状態では、第２の表示部（４８ａ、４８ｂ、４８ｃ）は点灯可能な状態となり、一方、第１の表示部（４１、４３，４５，４７）は、全て消灯する。
【００５９】
以上のように、本実施の形態による記録再生装置では、正面パネルに設けられ第１の表示部と、正面パネルを開した際に露出する第２の表示部とを、それぞれの使用状態毎に交番に点灯可能状態と常時消灯状態にする制御を行うため、ランプやＬＣＤのバックライトの点灯に関する消費電力を効果的に低減することができるとともに、パネルを閉めた状態でのパネル内部の熱のこもりなどを回避することができる。特に、高密度記録の光ディスクを用い、波長が同じ４００ｎｍ帯の青色半導体レーザー光を用いるＢＤやＨＤ ＤＶＤを光学ドライブとして用いている場合には、ディスクの加工密度が高く精細なため、熱のこもりの影響が大きくなるため、本実施の形態による技術を用いることが有利である。
【００６０】
尚、本実施の形態においては、１つのＨＤＤ装置と２つの光学ディスク装置を含む２トレイ方式の記録再生装置を例にして説明したが、表示制御に関してはトレイ数に関係なく同様の制御を行うことができる。例えば、３トレイ方式にも応用可能である。
【産業上の利用可能性】
【００６１】
本発明は、記録再生装置の表示技術として利用できる。また、記録再生装置以外のＡＶ電子機器に適用することも可能である。
【図面の簡単な説明】
【００６２】
【図１】本実施の形態による記録再生装置の外観構成例を示す斜視図であり表面パネルを閉じた状態を示す図である。
【図２】図２は、図１の斜視図に対応する図であり表面パネルを開いた状態を示す図である。
【図３】図３（ａ）〜（ｃ）までは、それぞれ、図１に対応する正面図、図２に対応する正面図、図２に対応する上面図（一部を表す）である。
【図４】図４は、本実施の形態による記録再生装置の内部に配置されている光学ディスク装置の配置例を示す図である。
【図５】図５は、本実施の形態による記録再生装置の内部構成例を示す機能ブロック図である。
【図６】図６は、本実施の形態による記録再生装置の制御処理等を行うプログラムの構成例を示す図である。
【図７】図７は、記録再生装置を遠隔操作することができるリモートコントロール装置（以下、「リモコン装置」）の構成例を示す図である。
【図８】表示制御の処理の流れを示すフローチャート図である。
【図９】表示制御の処理の流れを示すフローチャート図である。
【図１０】種々の動作状況に応じた正面パネルの表示部における表示例を示す図である。
【図１１】種々の動作状況に応じた正面パネルの表示部における表示例を示す図であり、主としてＬＣＤ表示に関する例を示す図である。
【図１２】図１２（Ａ）、（Ｂ）は、種々の動作状況に応じた正面パネルの表示部における表示例を示す図である。
【図１３】図１３（Ａ）は正面パネルを開した場合の正面図であり、（Ｂ）と（Ｃ）はそれぞれ正面パネルを開した場合と閉じた場合との第２の表示部の表示状態を示す図である。
【符号の説明】
【００６３】
Ａ…記録再生装置、３…ＣＰＵ、５…画像／音声信号処理部、７…ＲＯＭ、１１…ＲＡＭ、１５…インターフェイス部、１７…ＲＣ受光部、２１…Ｂ−ＣＡＳカードスロット駆動部、ＲＣ…リモコン装置、２５…正面パネル駆動部、２５ｃ…正面パネル開閉検出部、２７…位置検出部、３１…ＤＶＤ装置、３１c…検出部、３３…ＨＤＤ装置、３３c…検出部、３５…ブルーレイ（ＢＤ）ディスク装置、３５c…検出部、３７…ディスク駆動制御部、４１…ＤＶＤ表示部、４３…ＨＤＤ表示部（ＬＥＤ）、４５…ＨＤＤ表示部（ＬＣＤ）、４７…ＢＤ表示部、５１…表示制御部。
【図１】
2006164424.tif 000003
【図２】
2006164424.tif 000004
【図３】
2006164424.tif 000005
【図４】
2006164424.tif 000006
【図５】
2006164424.tif 000007
【図６】
2006164424.tif 000008
【図７】
2006164424.tif 000009
【図８】
2006164424.tif 000010
【図９】
2006164424.tif 000011
【図１０】
2006164424.tif 000012
【図１１】
2006164424.tif 000013
【図１２】
2006164424.tif 000014
【図１３】
2006164424.tif 000015